(57)【要約】【課題】誤差を吸収でき、適切に施工できるパネル装置を提供する。【解決手段】パネル装置は、左右方向長手状の横桟６を有するパネル本体と、被固定部に固定し横桟６の長手方向端部を支持する横桟支持体21とを備える。横桟６は、長手方向端面に凸部８および凹部９を有する。横桟支持体21は、横桟６の長手方向端面と対向する面に凸部24および凹25部を有する。一の場合には、横桟６の凸部８と横桟支持体21の凹部25とを互いに対向させるとともに、横桟６の凹部９と横桟支持体21の凸部24とを互いに対向させる。他の場合には、横桟６の凸部８と横桟支持体21の凸部24とを互いに対向させるとともに、横桟６の凹部９と横桟支持体21の凹部25とを互いに対向させる。【選択図】図３
2010156157.tif 000002
【特許請求の範囲】
【請求項１】
左右方向長手状の横桟を有するパネル本体と、
被固定部に固定され、前記横桟の長手方向端部を支持する横桟支持体とを備え、
前記横桟は、長手方向端面に凸部および凹部を有し、
前記横桟支持体は、前記横桟の長手方向端面と対向する面に凸部および凹部を有し、
一の場合には、前記横桟の凸部と前記横桟支持体の凹部とを互いに対向させるとともに、前記横桟の凹部と前記横桟支持体の凸部とを互いに対向させ、
他の場合には、前記横桟の凸部と前記横桟支持体の凸部とを互いに対向させるとともに、前記横桟の凹部と前記横桟支持体の凹部とを互いに対向させる
ことを特徴とするパネル装置。
【請求項２】
横桟支持体は、
被固定部に固定される固定板部と、
この固定板部から突出し、横桟の長手方向端部を嵌合支持する支持筒部とを有し、
前記固定板部の前記横桟の長手方向端面と対向する面に、凸部および凹部が前記支持筒部の基端側内方に位置するように形成されている
ことを特徴とする請求項１記載のパネル装置。
【発明の詳細な説明】
【技術分野】
【０００１】
本発明は、誤差を吸収でき、適切に施工できるパネル装置に関するものである。
【背景技術】
【０００２】
従来、例えば左右方向長手状の複数本の横桟および上下方向長手状の複数本の縦桟を有する格子状のパネル本体と、支柱に固定され横桟の長手方向端部を支持する支持金具等の横桟支持体とを備えたフェンス等のパネル装置が知られている（例えば、特許文献１参照）。
【特許文献１】特開２００８−８８８００号公報
【発明の開示】
【発明が解決しようとする課題】
【０００３】
ところで、例えば横桟の製造誤差や支柱の施工誤差等によりパネル装置を施工できない場合があり、このような誤差を吸収できるパネル装置が要望されている。
【０００４】
本発明は、このような点に鑑みなされたもので、誤差を吸収でき、適切に施工できるパネル装置を提供することを目的とする。
【課題を解決するための手段】
【０００５】
請求項１記載のパネル装置は、左右方向長手状の横桟を有するパネル本体と、被固定部に固定され、前記横桟の長手方向端部を支持する横桟支持体とを備え、前記横桟は、長手方向端面に凸部および凹部を有し、前記横桟支持体は、前記横桟の長手方向端面と対向する面に凸部および凹部を有し、一の場合には、前記横桟の凸部と前記横桟支持体の凹部とを互いに対向させるとともに、前記横桟の凹部と前記横桟支持体の凸部とを互いに対向させ、他の場合には、前記横桟の凸部と前記横桟支持体の凸部とを互いに対向させるとともに、前記横桟の凹部と前記横桟支持体の凹部とを互いに対向させるものである。
【０００６】
請求項２記載のパネル装置は、請求項１記載のパネル装置において、横桟支持体は、被固定部に固定される固定板部と、この固定板部から突出し、横桟の長手方向端部を嵌合支持する支持筒部とを有し、前記固定板部の前記横桟の長手方向端面と対向する面に、凸部および凹部が前記支持筒部の基端側内方に位置するように形成されているものである。
【発明の効果】
【０００７】
本発明によれば、一の場合には横桟の凸部と横桟支持体の凹部とを互いに対向させるとともに横桟の凹部と横桟支持体の凸部とを互いに対向させ、他の場合には横桟の凸部と横桟支持体の凸部とを互いに対向させるとともに横桟の凹部と横桟支持体の凹部とを互いに対向させることにより、誤差を吸収でき、適切に施工できる。
【発明を実施するための最良の形態】
【０００８】
本発明のパネル装置の一実施の形態を図面を参照して説明する。
【０００９】
図１および図２において、１はパネル装置で、このパネル装置１は、例えば建物の一階の庭等に立設され互いに離間対向する左右一対の被固定部である柱部２の内面である対向面に固定され、これら両柱部２間の略矩形状の開口部３を覆う目隠しスクリーン（ルーバースクリーン）である。
【００１０】
パネル装置１は、開口部３を覆う格子状のパネル本体５を備えている。パネル本体５は、互いに間隔をおいて平行に位置する左右方向長手状の複数（例えば３本）の横桟６と、これら複数の横桟６に固定され開口部３を覆うパネル７とを有している。
【００１１】
各横桟６は、いずれも同一形状のもので、例えば断面略矩形状の長手状部材にて構成されている。横桟６は、図３および図５等に示されるように、長手方向両端面に位置決め用の凸部８および凹部９を有している。すなわち例えば横桟６の長手方向一端面（例えば屋外視右端面）の一方側部分である上半部には凸部８が形成され、その長手方向一端面の他方側部分である下半部には凹部９が形成されている。また、横桟６の長手方向他端面（例えば屋外視左端面）の一方側部分である上半部には凹部９が形成され、その長手方向他端面の他方側部分である下半部には凸部８が形成されている。
【００１２】
パネル７は、例えば左右方向に並んで位置する格子状の複数（例えば４つ）のパネル構成体（パネル分割体）11にて構成されている。各パネル構成体11は、横桟６に固定され互いに間隔をおいて平行に位置する左右方向長手状の複数（例えば３本）の引掛部である横長部12と、これら複数の横長部12の前面（例えば屋外側の面）に固定され互いに等しい間隔をおいて平行に位置する上下方向長手状の複数（例えば５本または６本）の縦長部13とを有している。
【００１３】
横長部12は、例えば断面略Ｌ字状の長手状部材にて構成されたもので、横桟６の前面と接触してこの前面略全体を覆う鉛直面状の前板14と、この前板14の上端から後方に向って突出し横桟６の上面と接触してこの上面を覆う水平面状の上板15とを有し、その前板14の前面に複数の縦長部13が互いに等間隔をおいて左右方向に並んだ状態に固定されている。また、縦長部13は、例えば断面略矩形状の長手状部材に構成されている。
【００１４】
また、パネル装置１は、柱部２の対向面に固定され横桟６の長手方向両端部を支持する左右対（例えば左右３対）をなす躯体取付鋳物等の横桟支持体21を備えている。
【００１５】
各横桟支持体21は、いずれも同一形状のもので、例えば鋳物にて一体に構成されている。横桟支持体21は、図３ないし図５等に示されるように、柱部２の対向面に固定された略矩形状で鉛直面状の固定板部22と、固定板部22の外周端近傍から突出し横桟６の長手方向端部が先端面開口23aから内側に嵌入されこの嵌入された横桟６の長手方向端部を嵌合支持する略４角筒状の支持筒部23とを有している。
【００１６】
そして、固定板部22の横桟６の長手方向端面と対向する面、つまり柱部２の対向面に固定される面とは反対側の面には、横桟６の凸部８および凹部９に対応する位置決め用の凸部24および凹部25が支持筒部23の基端側内方に位置するように形成されている。すなわち例えば固定板部22の横桟６の長手方向端面と対向する面の一方側部分には凸部24が支持筒部23の基端側内方に位置するように形成され、その面の他方側部分には凹部25が支持筒部23の基端側内方に位置するように形成されている。
【００１７】
次に、上記パネル装置１の作用等を説明する。
【００１８】
例えば横桟６の左右方向長さ寸法が予め設定された基準長さ寸法と略同じである場合つまり通常の場合には、図５に示すように、横桟６の長手方向右端面の凸部８と右側の横桟支持体21の凹部25とを互いに対向当接させるとともに横桟６の長手方向右端面の凹部９と右側の横桟支持体21の凸部24とを互いに対向当接させ、かつ、横桟６の長手方向左端面の凸部８と左側の横桟支持体21の凹部25とを互いに対向当接させるとともに横桟６の長手方向左端面の凹部９と左側の横桟支持体21の凸部24とを互いに対向当接させ、この状態で、ボルトおよびナット等を用いて左右の横桟支持体21を柱部２に固定するとともに左右の横桟支持体21に横桟６の長手方向両端部を固定する。
【００１９】
つまりこの場合には、屋外視右側の横桟支持体21を凸部24が下側で凹部25が上側に位置するように柱部２に固定し、屋外視左側の横桟支持体21を凸部24が上側で凹部25が下側に位置するように柱部２に固定する。
【００２０】
そして、例えば製造誤差によって横桟６の左右方向長さ寸法が基準長さ寸法より短い場合には、図６に示すように、横桟６の長手方向右端面の凸部８と右側の横桟支持体21の凹部25とを互いに対向当接させるとともに横桟６の長手方向右端面の凹部９と右側の横桟支持体21の凸部24とを互いに対向当接させ、かつ、横桟６の長手方向左端面の凸部８と左側の横桟支持体21の凸部24とを互いに対向当接させるとともに横桟６の長手方向左端面の凹部９と左側の横桟支持体21の凹部25とを空間31を介して互いに対向させ、この状態で、ボルトおよびナット等を用いて左右の横桟支持体21を柱部２に固定するとともに左右の横桟支持体21に横桟６の長手方向両端部を固定する。
【００２１】
つまりこの場合には、図５の場合に対して左側の横桟支持体21のみを上下反転させることにより、屋外視右側の横桟支持体21を凸部24が下側で凹部25が上側に位置するように柱部２に固定し、屋外視左側の横桟支持体21を凸部24が下側で凹部25が上側に位置するように柱部２に固定する。
【００２２】
また、例えば製造誤差によって横桟６の左右方向長さ寸法が図６に示す場合に比べて基準長さ寸法よりさらに短い場合には、図７に示すように、横桟６の長手方向右端面の凸部８と右側の横桟支持体21の凸部24とを互いに対向当接させるとともに横桟６の長手方向右端面の凹部９と右側の横桟支持体21の凹部25とを空間32を介して互いに対向させ、かつ、横桟６の長手方向左端面の凸部８と左側の横桟支持体21の凸部24とを互いに対向当接させるとともに横桟６の長手方向左端面の凹部９と左側の横桟支持体21の凹部25とを空間31を介して互いに対向させ、この状態で、ボルトおよびナット等を用いて左右の横桟支持体21を柱部２に固定するとともに左右の横桟支持体21に横桟６の長手方向両端部を固定する。
【００２３】
つまりこの場合には、図５の場合に対して左右両側の横桟支持体21をそれぞれ上下反転させることにより、屋外視右側の横桟支持体21を凸部24が上側で凹部25が下側に位置するように柱部２に固定し、屋外視左側の横桟支持体21を凸部24が下側で凹部25が上側に位置するように柱部２に固定する。
【００２４】
なお、例えば横桟６の左右方向長さ寸法が基準長さ寸法より長い場合には、施工現場で余分な長さ分だけ切断すればよい。
【００２５】
また、例えば横桟６の左右方向長さ寸法が基準長さ寸法と略同じであるが、柱部２の施工誤差により柱部２が上下方向に対してやや傾斜した場合等には、互いに離間対向する両柱部２間の距離に応じて、横桟支持体21を柱部２に固定する際における横桟支持体21の上下方向を設定する。
【００２６】
こうして横桟６を横桟支持体21を介して柱部２に固定した後、この固定された横桟６に対して各パネル構成体11を順次固定する。
【００２７】
そして、このようなパネル装置１によれば、一の場合には横桟６の長手方向一端面の凸部８と一方側の横桟支持体21の凹部25とを互いに対向させるとともに横桟６の長手方向一端面の凹部24と一方側の横桟支持体21の凸部24とを互いに対向させかつ横桟６の長手方向他端面の凸部８と他方側の横桟支持体21の凹部25とを互いに対向させるとともに横桟６の長手方向他端面の凹部９と他方側の横桟支持体21の凸部24とを互いに対向させ、他の場合には横桟６の長手方向一端面の凸部８と一方側の横桟支持体21の凹部25とを互いに対向させるとともに横桟６の長手方向一端面の凹部９と一方側の横桟支持体21の凸部24とを互いに対向させかつ横桟６の長手方向他端面の凸部８と他方側の横桟支持体21の凸部24とを互いに対向させるとともに横桟６の長手方向他端面の凹部９と他方側の横桟支持体21の凹部25とを互いに対向させ、さらに他の場合には横桟６の長手方向一端面の凸部８と一方側の横桟支持体21の凸部24とを互いに対向させるとともに横桟６の長手方向一端面の凹部９と一方側の横桟支持体21の凹部25とを互いに対向させかつ横桟６の長手方向他端面の凸部８と他方側の横桟支持体21の凸部24とを互いに対向させるとともに横桟６の長手方向他端面の凹部９と他方側の横桟支持体21の凹部25とを互いに対向させることにより、横桟６の製造誤差や柱部２の施工誤差等の誤差を吸収でき、パネル装置１を適切かつ効率よく施工できる。
【００２８】
また、横桟支持体21は、固定板部22とこの固定板部22から突出した支持筒部23とを有し、固定板部22の横桟６の長手方向端面と対向する面に凸部24および凹部25が支持筒部23の基端側内方に位置するように上下方向に並んで形成されているため、横桟支持体21を上下反転させるだけで横桟６の製造誤差や柱部２の施工誤差等の誤差を簡単かつ適切に吸収できる。
【００２９】
なお、上記実施の形態では、横桟６が長手方向両端面の各々に凸部８および凹部９を有し、左右両側の横桟支持体21の各々が横桟６の長手方向端面と対向する面に凸部24および凹部25を有する構成について説明したが、例えば横桟６が長手方向両端面のいずれか一方のみに凸部８および凹部９を有し、左右両側の横桟支持体21のいずれか一方のみが横桟６の凸部８および凹部９が形成された長手方向端面と対向する面に凸部24および凹部25を有する構成でもよい。
【００３０】
また、上記実施の形態では、横桟支持体21の支持筒部23が略４角筒状の筒状部材にて一体に形成された構成について説明したが、例えば支持筒部23を下部パーツと上部パーツとに２分割し、横桟支持体21の下部パーツを柱部２固定した後、この固定した下部パーツ上に横桟６の長手方向端部を載置し、その後、上部パーツを装着することにより横桟６の長手方向端部を横桟支持体21の下部パーツに固定するようにしてもよい。
【００３１】
さらに、例えば横桟支持体21を上下反転させる代わりに、横桟６を上下反転させて誤差を吸収するようにしてもよい。
【００３２】
また、パネル本体５は、格子状のものには限定されず、横桟６とこの横桟６に固定された板部材とを有する板状のもの等でもよい。
【図面の簡単な説明】
【００３３】
【図１】本発明の一実施の形態に係るパネル装置の正面図である。
【図２】同上パネル装置の分解斜視図である。
【図３】同上パネル装置の横桟支持体の斜視図である。
【図４】同上横桟支持体の側面図である。
【図５】横桟の左右方向長さ寸法が基準長さ寸法である場合を示す図である。
【図６】横桟の左右方向長さ寸法が基準長さ寸法より短い場合を示す図である。
【図７】横桟の左右方向長さ寸法が基準長さ寸法よりさらに短い場合を示す図である。
【符号の説明】
【００３４】
１    パネル装置
２    被固定部である柱部
５    パネル本体
６    横桟
８    横桟の凸部
９    横桟の凹部
21    横桟支持体
22    固定板部
23    支持筒部
24    横桟支持体の凸部
25    横桟支持体の凹部
【図１】
2010156157.tif 000003
【図２】
2010156157.tif 000004
【図３】
2010156157.tif 000005
【図４】
2010156157.tif 000006
【図５】
2010156157.tif 000007
【図６】
2010156157.tif 000008
【図７】
2010156157.tif 000009